(57)【要約】      （修正有）【課題】多連式エアゾール噴出器の操作性の改善を図る。【解決手段】エアゾール容器1,2の噴射ステム1a,2aにつながる少なくとも２つの経路を有し各経路を経て導入された種類の異なる内容物をそれぞれ単一経路において合流させてその先端部分より排出するジョイント3と、このジョイント3の先端部分につながる送給経路を有し該送給経路を経た内容物を外表面に噴出させてそれを塗布可能に保持する塗布具4とからなる多連式エアゾール噴出器につき、エアゾール容器1,2に着脱自在に固定保持される本体カバー5と、この本体カバー5の内壁面で片持ち支持されその引きつけ動作にて噴射ステム1a,2aをジョイント3を介して押し下げる操作レバー6とを設ける。【選択図】図１
2005081156.tif 000002
【特許請求の範囲】
【請求項１】
エアゾール容器の噴射ステムにつながる少なくとも２つの経路を有し各経路を経て導入された種類の異なる内容物をそれぞれ単一経路において合流させてその先端部分より排出するジョイントと、このジョイントの先端部分につながる送給経路を有し該送給経路を経た内容物を外表面に噴出させてそれを塗布可能に保持する塗布具とからなる多連式エアゾール噴出器であって、
エアゾール容器に着脱自在に固定保持される本体カバーと、この本体カバーの内壁面で片持ち支持されその引きつけ動作にて噴射ステムをジョイントを介して押し下げる操作レバーとを備えることを特徴とする多連式エアゾール噴出器。
【請求項２】
前記本体カバーは、ジョイントの先端部分を摺動可能に嵌合保持し該先端部分より排出された内容物を塗布具の送給経路へ導くソケットを有することを特徴とする請求項１記載の多連式エアゾール噴出器。
【請求項３】
前記操作レバーが、本体カバーの内壁面に揺動可能に支持されジョイントに直接接触する押圧部分と、この押圧部分の揺動端につながり本体カバーの外壁面に向かう引きつけ動作で押圧部分を押し下げる操作部分とからなり、操作部分はその表面を凹とする湾曲形状を有する請求項１または２記載の多連式エアゾール噴出器。
【請求項４】
前記塗布具が、本体カバーのホルダーに着脱自在な基部を有するブラシ、櫛、スポンジあるいはノズルからなる請求項１〜３の何れかに記載の多連式エアゾール噴出器。
【発明の詳細な説明】
【技術分野】
【０００１】
本発明は、少なくとも２つの容器内に充填した種類の異なる内容物をそれぞれ同時に噴出させる多連式エアゾール噴出器に関するものであり、その噴出器の操作性の改善を図ろうとするものである。
【背景技術】
【０００２】
近年、毛染め剤や洗顔フォーム、トリートメント等においては組成の異なる少なくとも２種類の内容物として液状物を使用直前に混合して使用するものが商品として流通している。
【０００３】
かかる商品は、それぞれの液状物毎に個別の容器に充填されてそれを１セットとして販売されているのが普通であり、使用に際してはそれぞれの容器から液状物を注出して所定の割合で混合する作業を必要とすることから使い勝手が悪いという不具合があった。
【０００４】
このような商品についての従来技術としては、一回の操作で各容器から内容物を同時に注出するようにした泡状液体の混合吐出装置が知られている（例えば特許文献１参照）。
【０００５】
【特許文献１】特開平４−１０２５６９号公報
【０００６】
ところで、毛染め剤等のような薬剤を充填した容器は、各容器に充填された内容物を同時に所定の割合（普通は５：５）で注出することができるとともに、注出した内容物を正確に頭髪に塗布できるようにその操作性がよいことが求められるところ、上記公報に開示されているような従来の混合吐出装置では、内容物を吐出させる際のレバー操作に伴いそれに付随する塗布具がその軸心に沿って可動することから、とくに、頭髪の生え際などにおいて塗布する場合に位置ずれの原因となり正確な塗布ができないこともあった。
【発明の開示】
【発明が解決しようとする課題】
【０００７】
本発明の課題は、内容物を注出すると同時に所望領域への塗布を正確かつ簡単に行い得る操作性に優れた多連式エアゾール噴出器を提案するところにある。
【課題を解決するための手段】
【０００８】
本発明は、エアゾール容器の噴射ステムにつながる少なくとも２つの経路を有し各経路を経て導入された種類の異なる内容物を単一経路において合流させてその先端部分より排出するジョイントと、このジョイントの先端部分につながる送給経路を有し該送給経路を経た内容物を外表面に噴出させてそれを塗布可能に保持する塗布具とからなる多連式エアゾール噴出器であって、
エアゾール容器に着脱自在に固定保持される本体カバーと、この本体カバーの内壁面に片持ち支持されその引きつけ動作にて噴射ステムをジョイントを介して押し下げる操作レバーとを備えることを特徴とする多連式エアゾール噴出器である（請求項１に対応）。
【０００９】
前記本体カバーは、ジョイントの先端部分を摺動可能に嵌合保持し該先端部分より排出された内容物を塗布具の送給経路へ導くソケットを有するものとする（請求項２に対応）。
【００１０】
また、前記操作レバーは、本体カバーの内壁面で揺動可能に支持されジョイントに直接接触する押圧部分と、この押圧部分の揺動端につながり本体カバーの外壁面に向かう引きつけ動作で押圧部分を押し下げる操作部分からなり、
操作部分はその表面を凹とする湾曲形状になっているものがとくに好適であり（請求項３に対応）、塗布具は、本体カバーのホルダーに着脱自在な基部を有するブラシ、櫛、スポンジあるいはノズル等が適用される（請求項４に対応）。
【発明の効果】
【００１１】
本発明によれば、内容物の排出を行いながら正確に塗布することが可能であり操作性が極めてよい。
【発明を実施するための最良の形態】
【００１２】
以下、図面を用いて本発明をより具体的に説明する。図１〜４は２つの容器から同時に内容物を噴出させる場合を例として示した本発明に従う噴出器の実施の形態を示したものであり、図１は噴出器の正面図（断面で表示）、図２は図１の側面図（断面で表示）、図３は図１のＡ−Ａ断面図、また、図４は図１のＢ−Ｂ断面図である
【００１３】
図１〜４において１、２は種類の異なる内容物を加圧媒体とともにそれぞれ充填したエアゾール容器である。エアゾール容器１、２はリングＣにて相互に一体的に保持されていて、噴射ステム１ａ、２ａを押圧することで該噴射ステム１ａ、２ａから内容物を噴出させることができるようになっている。
【００１４】
また、３はジョイントである。このジョイント３は、例えば容器１、２の噴射ステム１ａ、２ａに嵌合する開口を有する基体とこの基体に組合わさる上蓋にて構成した例で示してあり、その内部には、基体の開口につながる経路Ｌ１、Ｌ２とこの経路Ｌ１、Ｌ２を合流させる単一経路Ｌ３が設けらており経路Ｌ１、Ｌ２を経てジョイント３内に導入された内容物を単一経路Ｌ３にて合流又は混合させたのち先端部分３ａより排出する。
【００１５】
また、４はブラシを例として示した塗布具、５はエアゾール容器１、２の上部でリングＣに着脱自在に固定保持される本体カバー、６は本体カバー５の内壁面で枢支ピンＰを起点に片持ち支持される操作レバーである。
【００１６】
上記本体カバー５はジョイント３の先端部分３ａを摺動可能に嵌合保持するとともに該先端部分３ａより排出した内容物を塗布具４の送給経路４ａへ導くソケット５ａを一体的に備えており、操作レバー６については本体カバー５の内壁面で揺動可能に片持ち支持されジョイント３に直接接触する押圧部分６ａとこの押圧部分６ａの揺動端につながり本体カバー５の外壁面に向かう引きつけ動作（図中白抜き矢印）で押圧部分６ａを押し下げる操作部分６ｂからなっている。
【００１７】
エアゾール容器１、２を把持して図５に示す如く指先でもって操作レバー６の操作部分６ｂを引きつけると、枢支ピンＰを起点にして押圧部分６ａが下降してノズル本体３が押し込まれ（先端部分３ａはソケット５ａ内で摺動する）、これと同時に、エアゾール容器１、２の噴射ステム１ａ、２ａも押し下げられることになる。
【００１８】
噴射ステム１ａ、２ａが押し下げられると、容器１、２内の内容物は噴射ステム１ａ、２ａの先端から噴出され、図中の矢印に従い経路Ｌ１、Ｌ２、単一経路Ｌ３、送給経路４ａ、開口４ｂを通って塗布具４の外表面に排出されることとなり操作レバー６の引きつけを継続する限り内容物の排出は続くことになる。
【００１９】
一方、操作レバー６の引きつけを解除すると噴射ステム１ａ、２ａが本来備える弾性部材の反力でもってノズル本体３、押圧部分６ａは初期位置復帰することになり内容物の排出がすぐさま停止される。
【００２０】
本発明に従う噴出器は、上記のように指先による操作レバー６の引きつけとその引きつけを解除のみで内容物を塗布具に簡単に排出することができ操作性がよく、しかも、塗布具４は操作レバー６の引きつけにかかわらずその位置が常に一定しているので正確な塗布が可能となる。
【００２１】
操作レバー６の操作部分６ｂには、指の引っ掛かりを良くして極僅かな引きつけ動作でもってノズル本体３を押し込むことができるよう湾曲形状の凹ｄを設ける。
【００２２】
図６、図７は塗布具４をノズルを例として示したものであり、このようなノズルを塗布具４として装着することで内容物をピンポイントで塗布することが可能となり、この構造のものも、内容物の排出要領はブラシを塗布具４として備えた上掲図１〜４に示した噴出器となんら変わるところはない。
【００２３】
ジョイント３の先端部分３ａとソケット５ａの相互間には、液密状態を保持するためにＯリング７を設けることができる。
【００２４】
操作レバー６の押圧部分６ａについて本発明の実施の形態では、逆三角形状の凸部６ａ１を対向位置の２箇所でジョイント３に接触させる場合について示したが、操作部分６ｂの引きつけによってジョイント３を押し込むことができるものであればその形状についてはとくに限定されない。
【００２５】
また、本体カバー５はリングＣで固定保持するようにしたが、容器１、２の両方に直接設置してもよく、この点についてもとくに限定はされない。
【００２６】
ジョイント３については、図示はしないが経路Ｌ１と経路Ｌ２を単一経路Ｌ３においても隔絶するようにその内部に仕切り板を設けて、これにより内容物を層状態で排出するようにしてもよいし、また、単一経路Ｌ３にスクリュー部材を設置し経路Ｌ１、Ｌ２を経た内容物を単一経路Ｌ３にて強制混合させるようにしてもよい。
【産業上の利用可能性】
【００２７】
操作性のよい多連式エアゾール噴出器を提供できる。
【図面の簡単な説明】
【００２８】
【図１】本発明に従う噴出器の実施の形態をその断面で示した図である。
【図２】図１の側面を示した図である。
【図３】図１のＡ−Ａ断面を示した図である。
【図４】図１のＢ−Ｂ断面を示した図である。
【図５】噴出器の操作状況を示した図である。
【図６】本発明に従う噴出器の他の実施の形態をその断面で示した図である。
【図７】図５の側面を示した図である。
【符号の説明】
【００２９】
１  エアゾール容器
１ａ  噴射ステム
２  エアゾール容器
２ａ  噴射ステム
３  ジョイント
３ａ  先端部分
４  塗布具
５  本体カバー
６  操作レバー
６ａ  押圧部分
６ｂ  操作部分
Ｃ  リング
Ｌ１  経路
Ｌ２  経路
Ｌ３  単一経路
Ｐ  枢支ピン
ｄ  凹
【図１】
2005081156.tif 000003
【図２】
2005081156.tif 000004
【図３】
2005081156.tif 000005
【図４】
2005081156.tif 000006
【図５】
2005081156.tif 000007
【図６】
2005081156.tif 000008
【図７】
2005081156.tif 000009